(57)【特許請求の範囲】
【請求項１】
ハウジングの後部に係合して該ハウジング内に接続端子を押し込むと共に係止するためのリアホルダを有し、該リアホルダには、前記ハウジングに係合するホルダ本体と、該ホルダ本体から前向きに突出し前記ハウジングの上壁に設けた開口から進入して前記接続端子の中間部に設けた係止部を係止する端子係止部と、前記ホルダ本体から傾斜面を有する後端部を後ろ向きに突出し該傾斜面を前記開口に設けた傾斜面に当接して前記ホルダ本体を前方に付勢する可撓腕部とを設けたことを特徴とするコネクタ。
【請求項２】
前記リアホルダは前記接続端子を係止した状態で前記ハウジングに錠止するようにした請求項１に記載のコネクタ。
【発明の詳細な説明】
【０００１】
【発明の属する技術分野】
本発明は、ハウジングに収容した接続端子の後方への抜け出しを防止するリアホルダを備えたコネクタに関するものである。
【０００２】
【従来の技術】
従来のこの種のコネクタでは、例えば図９に示すように後端に電線１を接続した接続端子２をハウジング３の端子収容孔４に収容し、接続端子２を係止爪５によって係止することにより接続端子２の後方への抜け出しを一次的に防止している。また、端子挿通孔６を有するリアホルダ７をハウジング３の後部に摺動自在に係合し、このリアホルダ７を図１０に示すように前方へ押し込むことにより、接続端子２の電線圧着部２ａをリアホルダ７の係止部８により係止し、接続端子２の後方への抜け出しを二次的に防止している。
【０００３】
ここで、接続端子２を端子収容孔４に挿入する際には、図９に示すようにリアホルダ７をハウジング３に対して上方にずらし、リアホルダ７の端子挿通孔６とハウジング３の端子収容孔４を一致させる。そして、接続端子２を端子収容孔４に挿入した後にリアホルダ７をハウジング３に対して押し込む。これにより、リアホルダ７が下方及び前方に摺動し、図１０に示すように接続端子２を係止する。
【０００４】
【発明が解決しようとする課題】
しかしながら上述した従来例においては、電線１を電線圧着部２ａに圧着するときの条件、例えば電線１の径によって電線圧着部２ａの形状が異なる場合がある。このため、電線圧着部２ａの軸線に直角な方向の径が小さくなった場合には、リアホルダ７の係止部８が電線圧着部２ａを係止できなくなる虞れがある。
【０００５】
また、リアホルダ７をハウジング３に対して前後及び上下に摺動させる構造であるため、接続端子２の電線圧着部２ａとリアホルダ７の係止部８の隙間を完全に無くすことは困難であり、接続端子２の前後方向へのがたつきを防止できないという問題も有る。
【０００６】
本発明の目的は、上述した問題点を解消し、接続端子の後方への抜け出しを確実に防止すると共に、前後方向へのがたつきを防止し得るコネクタを提供することにある。
【０００７】
【課題を解決するための手段】
上記目的を達成するための本発明に係るコネクタは、ハウジングの後部に係合して該ハウジング内に接続端子を押し込むと共に係止するためのリアホルダを有し、該リアホルダには、前記ハウジングに係合するホルダ本体と、該ホルダ本体から前向きに突出し前記ハウジングの上壁に設けた開口から進入して前記接続端子の中間部に設けた係止部を係止する端子係止部と、前記ホルダ本体から傾斜面を有する後端部を後ろ向きに突出し該傾斜面を前記開口に設けた傾斜面に当接して前記ホルダ本体を前方に付勢する可撓腕部とを設けたことを特徴とする。
【０００８】
【発明の実施の形態】
本発明を図１〜図８に図示の実施例に基づいて詳細に説明する。
図１は実施例の縦断面図であり、後部に電線１１を接続した接続端子１２がハウジング１３に収容され、ハウジング１３の後部にはリアホルダ１４が係合されている。接続端子１２は導電金属材料から加工されており、前方から順次に図示しない相手側接続端子に接触する可動接触片１２ａを備えた端子本体部１２ｂと、接続端子１２の安定を保つ角筒状のスタビライザ部１２ｃと、電線１１の芯線を圧着する芯線圧着部１２ｄと、電線１１の被覆を圧着する被覆圧着部１２ｅとが設けられている。そして、端子本体部１２ｂの底板には、係止ランスが係合する係合孔１２ｆが形成されている。
【０００９】
ハウジング１３には、接続端子１２を収容する端子収容孔２１が前端面と後端面の間を貫通するように形成されている。端子収容孔２１の幅は接続端子１２の左右動を抑える幅とされており、端子収容孔２１の前方上部には端子本体部１２ｂの上面に当接する上下隔壁２２が設けられ、この上下隔壁２２の上部は相手側接続端子を受け入れる端子受入室２３とされている。上下隔壁２２の前端には、接続端子１２の前方への移動を規制する前方規制部２４が形成され、その後方には接続端子１２の可動接触片１２ａを端子受入室２３に膨出させる挿通孔２５が形成されている。
【００１０】
端子受入室２３の後方は空間２６とされ、この空間２６にはスタビライザ部１２ｃの上面を押さえる押さえ片２７が水平に設けられている。そして、端子収容孔２１の底壁には、接続端子１２の後方への抜け出しを防止すると共に、接続端子１２を上下隔壁２２に対して付勢する係止ランス２８が設けられている。この係止ランス２８には、可撓性を有して前向きに突出する本体部２８ａと、本体部２８ａから上向きに突出し、接続端子１２の係合孔１２ｆに係合する爪部２８ｂとが備えられている。
【００１１】
また、図２の平面図及び図３の背面図に示すように、ハウジング１３の後方部は小径部２９とされている。小径部２９の上壁２９ａには、空間２６を介して端子収容孔２１に連通する開口３０が各端子収容孔２１に対応するように設けられており、開口３０の後壁は前方に低下する傾斜面３１とされている。更に、小径部２９の側壁２９ｂ、２９ｃには、リアホルダ１４を錠止するための錠止突起３２、３３がそれぞれ設けられている。
【００１２】
一方、図４の背面図に示すように、リアホルダ１４はハウジング１３の小径部２９の上壁２９ａに当接する天壁４１ａと、小径部２９の側壁２９ｂ、２９ｃにそれぞれ当接する側壁４１ｂ、４１ｃとを備えた本体部４１を有し、リアホルダ１４がハウジング１３に係合した際に、天壁４１ａ、側壁４１ｂ、４１ｃの外面とハウジング１３の外面は略平面を形成するようになっている。そして、側壁４１ｂ、４１ｃには、ハウジング１３の錠止突起３２、３３と共働してハウジング１１にリアホルダ１４を錠止する錠止孔４２、４３が設けられている。
【００１３】
図５の断面図に示すように、本体部４１の天壁４１ａの下面には、前向きに突出して接続端子１２のスタビライザ部１２ｃの後端を隙間なく係止するための端子係止部４４が、基部４５を介して端子収容孔２１に対応する数だけ設けられている。また、基部４５の後部には、ハウジング１３の傾斜面３１に当接する可撓腕４６が後ろ向きに設けられ、可撓腕４６の後端には後方に上昇する傾斜面４７が形成されている。
【００１４】
リアホルダ１４をハウジング１３から外した状態において、電線１１付の接続端子１２をハウジング１３に挿入する。接続端子１２をハウジング１３の後方から端子収容孔２１に押し込むと、係止ランス２８の本体部２８ａが下方に撓み、接続端子１２の前端が前方規制部２４に当接して接続端子１２の前方への移動が停止する。このとき、接続端子１２の端子本体部１２ｂとスタビライザ部１２ｃが上下隔壁２２と押さえ片２７の下部にそれぞれ進入し、係止ランス２８の本体部２８ａが復帰して爪部２８ｂが係合孔１２ｆに係合する。これにより、係止ランス２８は端子本体部１２ｂを上下隔壁２２に対して付勢して、接続端子１２の上下動を防止すると共に、係合孔１２ｆに係合して接続端子１２の後方への抜け出しを一次的に防止する。なお、接続端子１２の左右動は端子収容孔２１の側壁により防止されている。
【００１５】
必要数の接続端子１２を端子収容孔２１に押し込んだ後に、図６に示すようにリアホルダ１４の端子係止部４４をハウジング１３の開口３０に挿通し、図７に示すように端子係止部４４を押さえ片２７の下方に挿し込むようにして、リアホルダ１４の本体部４１をハウジング１３の小径部２９に被せる。そこで、本体部４１の後端を方向Ａに押圧すると、リアホルダ１４の可撓腕４６の傾斜面４７がハウジング１３の傾斜面３１を摺動し、その傾斜面３１から反力を受けて、可撓腕４６の後部が上方へ撓む。このとき、傾斜面３１からの反力の水平分力により可撓腕４６が前方へ付勢され、本体部４１が前方へ移動すると共に、錠止突起３２、３３が錠止孔４２、４３に錠止する。そして、ハウジング１３とリアホルダ１４は図１に示すような状態になり、端子係止部４４がスタビライザ部１２ｃの後部を隙間のない状態で係止する。
【００１６】
一方、図８に示すように接続端子１２を端子収容孔２１に十分に押し込まない状態でも、リアホルダ１４の本体部４１をハウジング１３に被せると、端子係止部４４が押さえ片２７の下方に進入してスタビライザ部１２ｃに当接する。この状態で、リアホルダ１４の本体部４１の後部を方向Ｂに押圧すると、可撓腕４６が上述したように作用し、端子係止部４４が接続端子１２のスタビライザ部１２ｃの後部を押圧して、接続端子１２を図７に示すように所定位置まで移動させる。
【００１７】
【発明の効果】
以上説明したように本発明に係るコネクタは、ハウジングに係合する本体部と、ハウジングの上壁に設けた開口から進入して接続端子の前方部を隙間なく係止する端子係止部と、開口の傾斜面に当接して本体部を前方へ移動させる可撓腕部とをリアホルダに設けたので、このリアホルダによって接続端子の中間部を係止でき、接続端子の後方への抜け出しを確実に防止できる。また、リアホルダの端子係止部を接続端子に隙間なく当接させるので、接続端子の前後のがたつきを防止できる。更に、リアホルダは接続端子を前方に押し込む作用を有するため、接続端子をハウジングに十分に挿入していない場合でも、接続端子を所定位置まで移動させることができる。
【図面の簡単な説明】
【図１】実施例の接続端子を収容した状態の縦断面図である。
【図２】ハウジングの平面図である。
【図３】ハウジングの背面図である。
【図４】リアホルダの背面図である。
【図５】リアホルダの縦断面図である。
【図６】リアホルダをハウジングに係合する場合の作用説明図である。
【図７】作用説明図である。
【図８】接続端子をハウジングに十分に押し込まない状態の作用説明図である。
【図９】従来例のリアホルダに接続端子を挿通した状態の断面図である。
【図１０】従来例のリアホルダが接続端子を係止した状態の断面図である。
【符号の説明】
１２  接続端子
１２ｃ  スタビライザ部
１３  ハウジング
１４  リアホルダ
２１  端子収容孔
２７  押さえ片
２８  係止ランス
２９  小径部
３０  開口
３１、４７  傾斜面
４１  本体部
４４  端子係止部
４６  可撓腕
【図１】
0003544777.tif 000002
【図２】
0003544777.tif 000003
【図３】
0003544777.tif 000004
【図４】
0003544777.tif 000005
【図５】
0003544777.tif 000006
【図６】
0003544777.tif 000007
【図７】
0003544777.tif 000008
【図８】
0003544777.tif 000009
【図９】
0003544777.tif 000010
【図１０】
0003544777.tif 000011